(57)【要約】      （修正有）【課題】簡易な構成でありながら操作が簡単でしかも固定効果及び作業性の優れた、安全性の高い、然も汎用性を有し且つ再利用も可能な安価で経済的な係止保持部材の固定装置を提供する。【解決手段】ボルト部材２と、その第１の螺子部４と螺合しうる第２の螺子部８が形成され、その外部周壁１０にテーパー部１１が形成されている固定力調整部材１２と、ボルト部材２のロッド部５に遊嵌しうる内径を持つ中空孔部１３を有する円筒部材１４であって、その一端部１５にはフランジ部１６が形成され、その他端部１７には、少なくとも一つのスリット部２０が形成されており、且つ固定力調整部材１２とボルト部材２の当該頭部３との間でフランジ部１６とボルト部材２の頭部３とが対向する様にロッド部５に遊嵌される固定用スリーブ部材２１等から構成されている係止保持部材の固定装置１。【選択図】図１
2008039091.tif 000002
【特許請求の範囲】
【請求項１】
一端部に所定の形状を有する頭部を有し、他端部には少なくとも当該他端部から当該頭部に向けた所定の長さ領域部に第１の螺子部が設けられている所定の長さを有するロッド部を有するボルト部材と、
当該ボルト部材の当該第１の螺子部と螺合しうる第２の螺子部が形成された内壁を有する中空孔部持ち、その外部周壁に所定の角度を有するテーパー部が形成されている、当該ボルト部材と着脱自在に構成された固定力調整部材と、
当該ボルト部材の当該ロッド部に遊嵌しうる内径を持つ中空孔部を有する円筒部材であって、その一端部にはフランジ部が当該円筒部材本体と一体的に形成されており、その他端部には、当該他端部の端縁部から当該フランジ部側に向けた方向に当該円筒部材本体の中心軸方向と平行に少なくとも一つのスリット部が形成されており、且つ当該固定力調整部材と当該ボルト部材の当該頭部との間で当該フランジ部と当該ボルト部材の頭部とが対向する様に当該ロッド部に遊嵌される固定用スリーブ部材と、
当該ボルト部材の当該頭部と当該固定用スリーブ部材のフランジ部との間で当該ボルト部材の当該ロッド部に遊嵌しうる内径を持つ中空孔部を有する円筒状若しくは円板状の支持体部と、
から構成されている事を特徴とする係止保持部材の固定装置。
【請求項２】
当該ボルト部材の当該ロッド部における一端部の当該第１の螺子部と当該固定力調整部材の当該中空孔部内壁に形成されている当該第２の螺子部とが螺合して当該ボルト部材と当該固定力調整部材とが相互に旋回自在に嵌合され、且つ当該固定用スリーブ部材が、当該スリット部が形成されている一端部と当該固定力調整部材と対向する様に、当該ボルト部材の当該ロッド部に遊嵌されており、更に当該支持体部が当該ボルト部材の当該頭部と当該固定用スリーブ部材の当該フランジ部との間で当該ボルト部材の当該ロッド部に遊嵌されている事を特徴とする請求項１に記載の係止保持部材の固定装置。
【請求項３】
当該ボルト部材の当該頭部は、適宜の回転操作手段による回転力を受け当該ボルト部材が回転しうる様な形状を有している事を特徴とする請求項１又は２に記載の係止保持部材の固定装置。
【請求項４】
当該固定力調整部材は、当該ボルト部材の回転に応答して当該ロッド部上を当該ロッド部の回転中心軸線に沿って回転することなく摺動変位可能に構成されている事を特徴とする請求項１乃至３の何れかに記載の係止保持部材の固定装置。
【請求項５】
当該固定力調整部材に於ける当該テーパー部の最小径部分の直径が当該固定用スリーブ部材の当該中空孔部の内径と同一か短くなる様に設定されている事を特徴とする請求項１乃至４の何れかに記載の係止保持部材の固定装置。
【請求項６】
当該固定力調整部材に於ける当該テーパー部の最大径部分の直径は当該固定用スリーブ部材の外径部の直径と同一若しくはそれに近似する様に設定されている事を特徴とする請求項１乃至５の何れかに記載の係止保持部材の固定装置。
【請求項７】
当該固定力調整部材と当該固定用スリーブ部材の当該フランジ部を除く部分とは、当該固定装置を固定すべき被固定部材に予め形成されている孔部内に挿入されるものである事を特徴とする請求項１乃至６の何れかに記載の係止保持部材の固定装置。
【請求項８】
当該被固定部材は、当該ボルト部材を回転せしめる事によって当該固定力調整部材が当該固定用スリーブ部材の当該中空孔部内に非回転状態で進入せしめられ、当該固定用スリーブ部材の当該スリット部間に存在する可動可能片を外径方向に拡開させる様に構成されている事を特徴とする請求項７に記載の係止保持部材の固定装置。
【請求項９】
当該被固定部材の当該孔部内に於いて、当該固定部材のボルト部材を回転せしめる事によって当該固定力調整部材が当該固定用スリーブ部材の当該中空孔部内に非回転状態で進入せしめられ、当該固定用スリーブ部材の当該スリット部間に存在する可動可能片を外径方向に拡開させ、当該可動可能片を当該被固定部材に形成されている孔部の内壁部に押し付ける事により当該固定用スリーブ部材を当該被固定部材に形成されている孔部内に固定する様に構成されている事を特徴とする請求項７又は８に記載の係止保持部材の固定装置。
【請求項１０】
当該固定力調整部材と当該固定用スリーブ部材とが、当該被固定部材内部に残存している事を特徴とする請求項７乃至９の何れか１項に記載の係止保持部材の固定装置。
【請求項１１】
当該固定用スリーブ部材に於ける当該フランジ部の中空孔部及び当該フランジ部に接続している当該円筒部材の当該中空孔部の一部の少なくとも一方の内壁面に当該第１及び当該第２の螺子部とは異なる第３の螺子部が形成されている事を特徴とする請求項１乃至１０の何れかに記載の係止保持部材の固定装置。
【請求項１２】
当該ボルト部材は、当該頭部及び当該ロッド部の少なくとも一方が、別体に構成された適宜の物体を係止、固定或は保持するための機能を有している事を特徴とする請求項１乃至１１の何れかに記載の係止保持部材の固定装置。
【請求項１３】
当該ボルト部材は、複数種類のボルト部材が準備されており、当該各ボルト部材は、当該固定力調整部材と当該固定用スリーブ部材に対して任意に選択し若しくは交換して使用する様に構成されている事を特徴とする請求項１乃至１２の何れかに記載の係止保持部材の固定装置。
【請求項１４】
当該ボルト部材はアンカーボルトである事を特徴とする請求項１乃至１３の何れかに記載の係止保持部材の固定装置。
【請求項１５】
当該ボルト部材は、当該ロッド部の当該フランジ部に近接する領域部に当該第３の螺子部と螺合する第４の螺子部を有する事を特徴とする請求項１１に記載の係止保持部材の固定装置。
【請求項１６】
一端部に所定の形状を有する頭部を有するロッド部からなり、当該頭部から当該ロッド部の他端部に向けた所定の長さ領域部には当該第３の螺子部と螺合する第４の螺子部が設けられており且つ当該ロッド部の他端部には当該固定力調整部材とは嵌合若しくは螺合しない様な構造を有する差し替え用ボルト部が交換自在に使用される事を特徴とする請求項１３に記載の係止保持部材の固定装置。
【請求項１７】
当該ボルト部材の当該頭部は、球状部、湾曲状鉤部、Ｌ字状鉤部、鳩目状係止部から選択された一つで構成されている事を特徴とする請求項１乃至１６のいずれかに記載の係止保持部材の固定装置。
【請求項１８】
当該固定用スリーブ部材及び当該固定力調整部材は当該被固定部材から回収して再利用が可能である様に構成されている事を特徴とする請求項１乃至１７の何れかに記載の係止保持部材の固定装置。
【請求項１９】
当該被固定部材は、水平面或は壁面を持ち所定の厚みを有する、コンクリート層、アルファルト層、木材層、プラスチック層、レンガを含むセラミック層、石膏ボード層、石材層、発泡材層、金属材層からなるグループから選択された一つの層で構成されている事を特徴とする請求項１乃至１８の何れかに記載の係止保持部材の固定装置。
【発明の詳細な説明】
【技術分野】
【０００１】
本発明は、係止保持部材の固定装置に関するものであり、特に詳しくは、路面等の平面或る建築物等の壁面で硬質材料からなる層に埋め込み固定する事が可能な係止保持部材の固定装置に関するものである。
【背景技術】
【０００２】
従来から道路工事或は道路に何らかの施設を設置する様な場合にアスファルトやコンクリート等で舗装された路面に適宜のアンカーボルトやフック等を埋め込む場合、或は既に施工が完了している建造物の壁面等に新たに適宜のアンカーボルトやフックを埋め込む場合には、一般的には、当該アンカーボルトやフック等を埋め込む予定部分の周囲にかなりの余裕も持たせた大きさの穴を堀るか、穴を開ける工事を行った上、適宜のアンカーボルトやフック支持金具を使用して当該アンカーボルトやフックを当該穴内に設置し、次いで当該穴をコンクリート或はその他の適宜の補修材で埋め直しをするという方法が採用されているが、工事が複雑で操作工程が多く、部品も多種に亘るので工事費が高くまた工事期間も長期化するという問題があった。
【０００３】
かかる従来の方法を改善する方法として、アンカーボルトやフック等を埋め込む場所に当該アンカーボルトやフックの直径よりやや大きな直径を有する穴を開け、その穴内に開拡或は変形可能な羽部或はブレード部を有するアンカーボルトやフックを挿入し、当該羽部或はブレード部を当該穴部内で開拡させるか外方に変位させることにより、当該アンカーボルトやフックを当該穴部の内壁に固定する方法が提案されている。
【０００４】
係る方法は、例えば、実用新案登録第３０３１９９９号公報（特許文献１）として知られている。
然しながら、上記の特許文献１では、テーパー部と螺子部を有するロッド部とが一体的に構成されたボルト部材を使用し、ナットを回転させるのみで当該ロッド部を当該穴部内から引き出す様な構成となっているので、ブレード部を開拡させるに十分な力が得られず、当該固定用スリーブ部材が抜け落ちる恐れがあり、施工上、及び安全性に問題があった。
【０００５】
然も、特許文献１では、殖設用ボルト部材２を自由に取り替えることが出来ず、更には固定用スリーブを地中に残して当該殖設用ボルト部材２を任意の他の係止部材と交換して利用する事も不可能である。
【０００６】
つまり、上記の特許文献１では、アンカーボルトにしか適用性がなく、その他のフック状のアンカー等の交換使用が出来ず汎用性に欠ける他、再利用が図れないと言う問題もあり、コスト的にも実用性に欠けるものであった。
【０００７】
【特許文献１】実用新案登録第３０３１９９９号公報
【発明の開示】
【発明が解決しようとする課題】
【０００８】
従って、本発明の目的は、上記したこれら従来の問題点を解決するためになされたものであって、簡易な構成でありながら操作が簡単でしかも固定効果及び作業性に優れた、安全性の高い、然も汎用性を有し且つ再利用も可能な安価で経済的な係止保持部材の固定装置を提供するものである。
【課題を解決するための手段】
【０００９】
本発明に係る当該係止保持部材の固定装置は、上記目的を達成するために、以下に示す様な基本的技術構成を採用するものである。
即ち、本発明に係る係止保持部材の固定装置は、一端部に所定の形状を有する頭部を有し、他端部には少なくとも当該他端部から当該頭部に向けた所定の長さ領域部に第１の螺子部が設けられている所定の長さを有するロッド部を有するボルト部材と、当該ボルト部材の当該第１の螺子部と螺合しうる第２の螺子部が形成された内壁を有する中空孔部持ち、その外部周壁に所定の角度を有するテーパー部が形成されている、当該ボルト部材と着脱自在に構成された固定力調整部材と、当該ボルト部材の当該ロッド部に遊嵌しうる内径を持つ中空孔部を有する円筒部材であって、その一端部にはフランジ部が当該円筒部材本体と一体的に形成されており、その他端部には、当該他端部の端縁部から当該フランジ部側に向けた方向に当該円筒部材本体の中心軸方向と平行に少なくとも一つのスリット部が形成されており、且つ当該固定力調整部材と当該ボルト部材の当該頭部との間で当該フランジ部と当該ボルト部材の頭部とが対向する様に当該ロッド部に遊嵌される固定用スリーブ部材と、当該ボルト部材の当該頭部と当該固定用スリーブ部材のフランジ部との間で当該ボルト部材の当該ロッド部に遊嵌しうる内径を持つ中空孔部を有する円筒状若しくは円板状の支持体部と、から構成されている係止保持部材の固定装置である。
【発明の効果】
【００１０】
本発明に於ける当該係止保持部材の固定装置は、上記した様な技術構成を採用しているので、簡易な構成でありながら操作が簡単でしかも固定効果及び作業性の優れた、安全性が高く、然も複数種類のアンカーボルトやフックからなる係止保持部材を任意に選択して使用する事が出来ると言う極めて汎用性が高いと言う特徴を持ち、更には、当該固定力調整部材と当該固定用スリーブ部材とを地中或いは壁部内に残したままにする事が可能であると同時に、当該残存している当該固定力調整部材と当該固定用スリーブ部材に対して、別の機能を有するボルト部材或いは差し替え用ボルト部材を適宜に、その用途或いは目的に応じて交換しながら使用する事が可能であり、一方、当該係止保持部材の固定装置を使用する必要がなくなった場合には、簡単に当該係止保持部材の固定装置を埋め込んだ部分から引き抜く事が出来るので再利用も可能となるので、安価で然も経済的な係止保持部材の固定装置を提供する事が可能となる。
つまり本発明では、互いに異なる係止機能を有するボルト部材を交換自在に固定装置に取り付けられるので、多目的な固定装置が得られる。
【発明を実施するための最良の形態】
【００１１】
以下に、本発明にかかる係止保持部材の固定装置の具体例の構成を図面を参照しながら詳細に説明する。
即ち、図１は、本発明に係る係止保持部材の固定装置１の一具体例の構成を示す図であって、図１の組み立て概略図及びそれぞれの部品の構成を示す図２乃至図５とを参照すれば、一端部６に所定の形状を有する頭部３を有し、他端部７或いは当該他端部７の近傍には当該他端部７から当該頭部３に向けた所定の長さ範囲の領域部に第１の螺子部４が設けられている所定の長さを持つロッド部５を有するボルト部材２と、当該ボルト部材２の当該第１の螺子部４と螺合しうる第２の螺子部８が形成された内壁を有する中空孔部９持ち、その外部周壁１０に所定の角度を有するテーパー部１１が形成されている固定力調整部材１２と、当該ボルト部材２の当該ロッド部５に遊嵌しうる内径を持つ中空孔部１３を有する円筒部材１４であって、その一端部１５にはフランジ部１６が当該円筒部材１５本体と一体的に形成されており、その他端部１７には、当該他端部１７の端縁部１８から当該フランジ部１６側に向けた方向に当該円筒部材１４の中心軸１９の軸線方向と平行に少なくとも一つのスリット部２０が形成されており、且つ当該固定力調整部材１２と当該ボルト部材２の当該頭部３との間で当該フランジ部１６と当該ボルト部材２の頭部３とが対向する様に当該ロッド部５に遊嵌される固定用スリーブ部材２１と、当該ボルト部材２の当該頭部３と当該固定用スリーブ部材２１のフランジ部１６との間で当該ボルト部材２の当該ロッド部５に遊嵌しうる内径を持つ中空孔部２２を有する円筒状或いは円板状の支持体部２３とから構成されている係止保持部材の固定装置１が示されている。
【００１２】
尚、本発明に於ける当該ボルト部材２に於ける当該第１の螺子部４の長さは特に限定されるものではないが、少なくとも当該固定力調整部材１２の摺動移動可能範囲内には設けられている必要がある。
【００１３】
本発明に係る当該係止保持部材の固定装置１に於いては、当該ボルト部材２の当該ロッド部５における一端部７の当該第１の螺子部４と当該固定力調整部材１２の当該中空孔部９内壁に形成されている当該第２の螺子部８とが相互に螺合して当該ボルト部材２と当該固定力調整部材１２とが相互に着脱自在の係合関係を形成し、且つ相互に旋回自在に嵌合され、更に当該固定用スリーブ部材２１が、当該固定用スリーブ部材２１の当該スリット部２０が形成されている一端部１８と当該固定力調整部材１２とが互いに対向する様に、当該ボルト部材２の当該ロッド部５に遊嵌されており、更に当該円筒状或いは円板状の支持体部２３が当該ボルト部材２の当該頭部３と当該固定用スリーブ部材２１の当該フランジ部１６との間で当該ボルト部材２の当該ロッド部５に遊嵌されているものである。
【００１４】
本発明に於ける当該係止保持部材としては、上記したボルト部材の他、後述する図１１に示す様な係止保持部材が利用可能である。
又、本発明に於ける当該係止保持部材の固定装置１に有っては、当該ボルト部材２の当該ロッド部を適宜の旋回手段を使用して時計周り方向或いは反時計周り方向に適宜の角度回転させることにより、当該固定力調整部材１２を当該ボルト部材２の中心軸線１９の方向に沿って回転することなく静止させた状態で所定の方向に摺動させる様に構成されているので、固定操作が容易である。
【００１５】
その為、例えば、図２に示す様な、当該ボルト部材２の頭部３は、適宜の回転操作手段による回転力を受け当該ボルト部材２が容易に回転しうる様な形状を有している事が望ましく、例えば、平面形状が六角形状をしているもので有っても良い。
一方、当該固定力調整部材１２の長さは、特に限定されるものではなく、適宜の長さに任意に設定できる。
【００１６】
又、当該固定力調整部材１２の外周面１０には適宜の角度を持ったテーパー部１１が形成されている事が必要であるが、当該テーパー部１１の角度は特に限定されるものではなく、任意に設定することが可能である。
【００１７】
然しながら、図１に示す様に、当該固定力調整部材１２の最大径部Ｘと当該固定力調整部材１２と係合しない状態の当該固定用スリーブ部材２１の他端部１７の外径Ｙとが略同一の長さである事が望ましく、一方、当該固定力調整部材１２に於ける当該テーパー部１１の最小径部分の直径Ｚは、当該固定用スリーブ部材２１の当該中空孔部１３の内径と同一かそれよりも短くなる様に設定されている事が望ましい。
【００１８】
一方、当該固定用スリーブ部材２１の当該フランジ部１６は、適宜の厚みと適宜の直径を有するものであって、当該固定用スリーブ部材２の本体部を構成する当該円筒部材１４と一体的に成型されていることが望ましい。
【００１９】
又、当該固定用スリーブ部材２１の当該中空孔部１３の内径の内、当該フランジ部１６とそれに連続している所定の範囲内の領域部に於ける当該円筒部材１４の一部の内径は当該ボルト部材２の当該ロッド部５の直径と略同一となる様に構成されているが、当該部分から当該円筒部材１４の他端部１７にかけての当該中空孔部１３の内径は、それより若干大きくなる様に構成されている事が望ましい。
【００２０】
これは、当該固定用スリーブ部材２１の当該他端部１７の当該端部１８から当該フランジ部１６の方向に向けて少なくとも１本好ましくは複数本のスリット部２０が形成され、当該スリット部２０にはさまれている部分で且つブレード状に構成されている可動可能片３２が、当該固定力調整部材１２が、当該固定用スリーブ部材２１の当該中空孔部１３内部への侵入に応答して、外方に拡開しやすくなる様に構成されている事が望ましいからである。
【００２１】
従って、当該ブレード部分の厚みが薄ければ当該可動可能片３２を構成するブレード部が容易に開拡することになるので好ましい。
本発明に於ける当該スリット２０の数は限定されないが、好ましくは２個以上であるが、本発明の具体例では、４個のスリット２０が設けられている。
【００２２】
又、本発明に於いて使用される当該支持体部２３は、例えば円筒状であって、当該ボルト部材２の当該ロッド部５に遊嵌しうる内径を持った中空孔部２２を有している必要があり、その内径の長さ或いは当該円筒状支持体部２３の長さ等は特に限定されるものではない。
【００２３】
又、当該支持体部２３は、例えば、図１２に示す様な、円板状の支持体２３で有っても良い。
【００２４】
本発明に於ける当該円筒状或いは円板状支持体部２３の長さは、使用される係止保持部材の種類によって適宜の長さに設定されるものであり、例えば、本発明の当該係止保持部材の固定装置１がアンカーボルトの固定装置として使用される場合には、当該円筒状支持体部２３の長さは、例えば１００ｍｍに設定する事が可能であり、又、本発明の当該係止保持部材の固定装置１が鉤型フックの固定装置として使用される場合には、その長さは５乃至１０ｍｍに設定する事が出来る。
【００２５】
尚、本発明に於ける当該円筒状或いは円板状支持体部２３は、当該係止保持部材の固定装置１を路面或いは壁面内で固定操作を行う場合に当該固定用スリーブ部材２１に対して反力を発生させる機能を有するものである。
【００２６】
本発明於ける当該係止保持部材の固定装置１の各部品は適宜の金属性材料或いは合成樹脂材料で構成されるものであるが、用途に応じて適切な材料を選択する事が出来るものであり、特に、硬質、高強力で塑性変形可能な金属或いは合成樹脂を使用する事が望ましい。
【００２７】
本発明に於ける当該係止保持部材の固定装置１の内で、当該固定力調整部材１２と当該固定用スリーブ部材２１の当該フランジ部１６を除く部分とは、図６に示す様に、当該固定装置１を固定すべき被固定部材３０に予め形成されている穴部３１内に挿入されるものである。
【００２８】
本発明に於ける当該被固定部材３０の具体例としては、例えば、水平面或は壁面を持ち所定の厚みを有する層状物であって、道路等の舗装面を形成するコンクリート層、アルファルト層、或いは建築物或いはそれに類似する構造物の壁面を構成するコンクリート層、アルファルト層木材層、プラスチック層、レンガを含むセラミック層、石膏ボード層、石材層、発泡材層、金属材層からなるグループから選択された一つの層で構成されているものである。
【００２９】
又、本発明に於いては、当該ボルト部材２は、当該頭部３及び当該ロッド部５の少なくとも一方が、別体に構成された適宜の物体、例えば、道路カッター、或いはロープ、ワイヤー、テント等のはと目、金輪等の部材を係止、固定或は保持するための機能を有している事が望ましい。
【００３０】
次に、本発明に係る当該係止保持部材の固定装置１の施工操作手順を具体的に説明する。
つまり、道路の舗装部３０の表面Ｓにアンカーを埋め込む場合を例として説明すると、先ず、上記した被固定部材、即ち道路の舗装部３０の表面Ｓに垂直に当該固定力調整部材１２の最大外径寸法と略同一の内径を有する穴３１を適宜のドリル装置を使用して開口せしめた後、当該穴部３１の開口部に図１に示された構成を有する当該係止保持部材の固定装置１を、当該固定力調整部材１２の部分を先頭にして挿入し、当該フランジ部１６が当該道路の舗装面Ｓと接触するまで押し込む。
【００３１】
本具体例では、当該ボルト部材２の当該ロッド部５がアンカーボルトを兼ねることになるので、当該円筒状支持体部２３の長さは、上記した様に、又、図８に示す通り１００ｍｍとし、当該ボルト部材２の当該ロッド部５の全体の長さを１７０ｍｍに設定した。
【００３２】
更に当該ロッド部５の直径を１０ｍｍ、当該フランジ部１６の直径を３４ｍｍ、当該固定用スリーブ部材２１の当該スリット部２０が設けられブレード部３２が形成される当該中空孔部１３の内径を１３ｍｍにそれぞれ設定すると共に、当該固定力調整部材１２の長さを２０ｍｍ、最大径部分の直径Ｘと当該固定用スリーブ部材２１の外径部の直径Ｙを共に１９ｍｍ、当該固定力調整部材１２の最小径部分の直径Ｚを１１ｍｍにそれぞれ設定した。
【００３３】
その後、当該ボルト部材２の頭部３を適宜の旋回手段例えば、スパナ、レンチ等を使用して手動或いは機械装置を利用して一定の方向に旋回、回転させることにより、当該ロッド部５の端部に設けた第１の螺子部４が回転することによって、当該第１の螺子部４と螺合する当該固定力調整部材１２の第２の螺子部８と当該円筒状支持体部２３により発生する反力との相乗効果によって、当該固定力調整部材１２が非旋回状態のまま当該ロッド部５上を当該固定用スリーブ部材２１のフランジ部１６の方向に摺動移動するので、当該スリット部２０により形成されているブレード状部分３２が当該固定力調整部材１２の当該テーパー部１１により外側に変形せしめられ、その結果、図６に示す様に、当該ブレード状部分３２が当該穴部３１の内壁部に強く押し付けられ、それによって当該固定用スリーブ部材２１は当該穴部３１内に固定されることになる。
【００３４】
その時の詳細な状態を図８と対応させて図９に示しておく。
つまり、本発明に於いては、アンカーボルトとして利用される当該ボルト部材２の当該ロッド部５は、当該固定用スリーブ部材２１の当該フランジ部近傍と当該固定力調整部材１２の内部中空孔部９の２箇所で強固に固定保持される事になる。
【００３５】
上記した本発明の当該係止保持部材の固定装置１の使用方法或いは固定方法は、道路面のみではなく建築物等構造物の壁面でも同様に施工操作できる。
本発明に於ける上記図８及び図９に示されている係止保持部材の固定装置１は、特に、道路工事に際して、マンホール部分がコンクリート舗装層或いはアスファルト舗装層で目隠し状に配置されている場合に、当該マンホールの周りの舗装材料を切断破壊して当該マンホールを開口させる場合に、所定の大型道路切断カッターを当該マンホールの周囲を円形に旋回させながら当該コンクリート舗装部或いはアスファルト舗装部を切断処理する際の当該カッターの回転中心として使用する事が出来る。
【００３６】
係る使用態様に於いては、図１０に示す様な、金属性の十字型に４本の補強足部４１乃至４４を有し、その中央部に当該アンカー部を形成するロッド部５からなるボルト部材２を含む当該本発明の係止保持部材の固定装置１を貫通させる穴部５９が設けられている補助支持板７０を併用する事も望ましい。
【００３７】
より具体的には、当該補助支持板７０の４本の補強足部４１乃至４４の先端部には、それぞれ道路面に固定するためのボルトを挿入するボルト穴部５０乃至５３がそれぞれ設けられており、更に当該ボルト穴部５０乃至５３の近傍に支持面積を拡大するための補助板４５乃至４８がそれぞれ設けられている事が望ましい。
本具体例では、当該補助支持板７０の足部は３本であっても良い。
【００３８】
次に、本発明の特徴としては、当該本発明の係止保持部材の固定装置１は、その使用使命が完了した場合には、当該路面或いは壁面から取り外し、再利用する事が可能である。
【００３９】
即ち、図６の状態で当該道路面或いは壁面に埋め込まれている当該係止保持部材の固定装置１は、当該ボルト部材２の当該頭部３を埋め込み操作時の回転方向とは逆の方向に回転させることによって、当該固定力調整部材１２が固定されている関係から当該ボルト部材２の頭部３が当該固定用スリーブ部材２１のフランジ部１６から離れる方向に移動するので、その適当な時点で、つまり当該ボルト部材２のロッド部５の先端部にある第１の螺子部４が当該固定力調整部材１２の中空孔部９の内壁に設けられた第２の螺子部と螺合状態が解消される以前に当該頭部３に当該ボルト部材２の当該第１の螺子部４が設けられている方向に適度の押圧力或は適度の衝撃力を加える事によって、当該固定力調整部材１２の最小径部分を当該固定用スリーブ部材２１の端部１８から離脱させることが出来、それによって、当該固定用スリーブ部材２１の当該円筒部材１４の外径Ｙが当該固定力調整部材１２の最大径部Ｘと同一となるので、当該係止保持部材の固定装置１を構成する当該固定力調整部材１２と当該固定用スリーブ部材２１を当該穴部３１から離脱させる事が可能となる。
【００４０】
然も、本発明に係る当該係止保持部材の固定装置１は、当該埋め込み部分から離脱させた場合でも、その機能や構造に全く変形、変化が無いので、再利用する事が可能である。
【００４１】
係る本発明の機能は、上記した従来技術では全く不可能な機能である。
更に、本発明に係る当該係止保持部材の固定装置１の別の態様としては、図７に示す様に、当該固定用スリーブ部材２１と当該固定力調整部材１２のみを当該被固定部材３０の内部の当該穴部３１内に残存させておく事も可能である。
【００４２】
係る具体例では、図６に示されている状態から、当該ボルト部材２の当該頭部３を埋め込み操作時の回転方向とは逆の方向に連続的に回転させることによって、当該固定力調整部材１２が固定されている関係から当該ボルト部材２の頭部３が当該固定用スリーブ部材２１のフランジ部１６から離れる方向に移動するので、当該回転を継続させる事により当該ボルト部材２のロッド部５の先端部にある第１の螺子部４が当該固定力調整部材１２の中空孔部９の内壁に設けられた第２の螺子部８との螺合状態から開放されると、当該ボルト部材５は、当該固定用スリーブ部材２１から外部に抜き取る事が可能となり、その結果、当該固定用スリーブ部材２１と当該固定力調整部材１２が地中或は壁部材中に残される事になる。
【００４３】
係る構成は、当該地中或は壁部材中に設けられた当該固定用スリーブ部材２１と当該固定力調整部材１２とが、適宜の係止部材、例えば図１１に示す様な各種の係止部材のいずれかを任意に取替え自在に着脱固定できる固定部材として機能する事になる。
【００４４】
かかる構成を採用する事によって、例えば、上記で説明した様な、アンカー部として利用可能な当該ロッド部５からなるボルト部材２を取り外し、その後の当該固定用スリーブ部材２１の中空孔部１３内に別の機能を有する係止保持部材、例えば、図１１に示す様な球状型係止部、湾曲状鉤部、Ｌ字状鉤部、鳩目状係止部から選択された一つで構成されている係止保持部材を当該ボルト部材の当該頭部に取り付けた部材を挿入するとか、交換することによって、多目的に用途が拡大できるので、当該係止保持部材の固定装置１は汎用性を持つ事が出来る。
【００４５】
例えば、災害時に道路上或は公園内、又はビルの屋上等に非常用のトイレ用テント或いは救護施設用の非常用テント等を張設する場合に、予め当該固定装置を道路上等の所定の場所に上記した本発明に係る当該固定用スリーブ部材２１と当該固定力調整部材１２からなる係止保持部材の固定装置を埋め込んでおき、これに図７に示す様な湾曲状鉤部を有するボルト部材を螺子込むことによって使用する事が出来る。
【００４６】
より具体的には、図１１に示す様に、複数種類の係止保持部材を形成したボルト部材２を用意しておき、その用途に応じて、図７で示される当該道路面或いは壁面に埋設した本発明に係る当該係止保持部材の固定装置１に着脱自在で交換自在で装着する事が可能である。
【００４７】
即ち、図１１に示すそれぞれのボルト部材２の当該ロッド部５は、種々の構成を採用する事が可能であり、典型的には、当該ロッド部５の長さを当該フランジ部１６から当該固定力調整部材１２に十分届く長さとするものであって、当該ロッド部５の先端部７に当該固定力調整部材１２の当該中空孔部９内に形成された第２の螺子部８と螺合する第１の螺子部４を設けたものであっても良く、又当該ボルト部材２の当該ロッド部５に於ける当該頭部３に近接する部分にのみ、当該第１及び第２の螺子部４、８とは異なる第３の螺子部６０を設けると共に、当該固定用スリーブ部材２１の当該フランジ部１６及び当該フランジ部１６に続く所定の範囲に亘って、当該中空孔部１３内の内壁部に当該第３の螺子部６０と螺合する第４の螺子部６１を設け、当該両螺子部間で当該ボルト部材２を当該固定用スリーブ部材２１内に固定保持する事が可能である。
【００４８】
又、１つの当該ロッド部５に上記した第１の螺子部４と第３の螺子部６０の双方を設ける事も可能である。
つまり、上記具体例では、当該ボルト部材２を当該固定用スリーブ部材２１のフランジ部１６近傍と当該固定力調整部材１２との２箇所で係止保持することによって、より強力に当該ボルト部材２を係止保持する事が可能となる。
【００４９】
即ち、本発明の上記態様に於いては、当該固定用スリーブ部材２１に於ける当該フランジ部１６の中空孔部１３及び当該フランジ部１６に接続している当該円筒部材１４の当該中空孔部１３の一部の少なくとも一方の内壁面に当該第１及び当該第２の螺子部４、８とは異なる第４の螺子部６１が形成されているものである。
【００５０】
更には、当該ロッド部５の当該フランジ部１６の近傍部分に当該第３の螺子部６０を設けるが当該ロッド部５の他方の端部には、螺子部を設けない様に構成したものでも使用可能である。
この場合には、当該ロッド５の長さは、必ずしも当該固定力調整部材１２まで到達する様な長さを有していなくとも良い。
【００５１】
勿論、当該ボルト部材２の当該ロッド部５の全長に亘って第１の螺子部を設けておく事も可能である。
更に、本具体例に於いても、図７に示す様な状態に置かれている本発明に係る当該係止保持部材の固定装置１の使用を中止して当該係止保持部材の固定装置１を取り外したい場合には、先ず当該フック型の係止保持部材を当該固定用スリーブ部材２１から旋回させながら抜き取った後に、図２に示す様な比較的長いロッド部５を有するボルト部材２を当該固定用スリーブ部材２１のフランジ部１６から固定用スリーブ部材２１内に挿入し、当該ボルト部材２の先端部が当該固定力調整部材と螺合した時点で上記した様に当該頭部３を押圧或は打撃して当該固定力調整部材１２を当該固定用スリーブ部材２１から離反させることにより、当該係止保持部材の固定装置１を地中或は壁部材から除去することが出来る。
即ち、本発明に係る当該固定用スリーブ部材２１と当該固定力調整部材１２とを完全に回収する事が出来、再利用が可能となる。
【図面の簡単な説明】
【００５２】
【図１】図１は、本発明は、本発明に於ける係止保持部材の固定装置の一具体例の構成を示す側面図である。
【図２】図２は、本発明に於ける係止保持部材の固定装置で使用されるボルト部材の一具体例に於ける構成を示す側面図である。
【図３】図３は、本発明に於ける係止保持部材の固定装置で使用される固定力調整部材の一具体例に於ける構成を示す側面図である。
【図４】図４は、本発明に於ける係止保持部材の固定装置で使用される固定用スリーブ部材の一具体例に於ける構成を示す側面図である。
【図５】図５は、本発明に於ける円筒状支持体部の一具体例に於ける構成を示す側面図である。
【図６】図６は、本発明に於ける係止保持部材の固定装置の使用例を説明する断面図である。
【図７】図７は、本発明に於ける係止保持部材の固定装置の他の使用例を説明する断面図である。
【図８】図８は、本発明に於ける係止保持部材の固定装置の他の具体例の構成を示す断面図である。
【図９】図９は、本発明に於ける係止保持部材の固定装置の他の具体例の使用例を説明目する断面図である。
【図１０】図１０は、本発明に於ける係止保持部材の固定装置と併用される補助支持板の構成例を示す平面図である。
【図１１】図１１は、本発明に於ける係止保持部材の固定装置で使用される他の係止保持具の例を示す図である。
【図１２】図１２は、本発明に於ける係止保持部材の固定装置で使用される支持体部の他の具体例を示す図である。
【符号の説明】
【００５３】
１．係止保持部材の固定装置
２．ボルト部材
３．ボルト部材の頭部
４．第１の螺子部
５．ロッド部
６．ボルト部材の一端部
７．ボルト部材の他端部
８．第２の螺子部
９．中空孔部
１０．外周壁部
１１．テーパー部
１２．固定力調整部材
１３．中空孔部
１４．円筒部材
１５．円筒部材の一端部
１６．フランジ部
１７．円筒部材の他の端部
１８．円筒部材の端縁部
１９．円筒部材の中心線
２０．スリット部
２１．固定用スリーブ部材
２２．中空孔部
２３．円筒状支持体部
３０．被固定部材層
３１．穴部
４１乃至４４．補強足部
４５乃至４８．補助板
５０乃至５３．ボルト穴部
５９．穴部
６０．第３の螺子部
６１．第４の螺子部
７０．補助支持板
【図１】
2008039091.tif 000003
【図２】
2008039091.tif 000004
【図３】
2008039091.tif 000005
【図４】
2008039091.tif 000006
【図５】
2008039091.tif 000007
【図６】
2008039091.tif 000008
【図７】
2008039091.tif 000009
【図８】
2008039091.tif 000010
【図９】
2008039091.tif 000011
【図１０】
2008039091.tif 000012
【図１１】
2008039091.tif 000013
【図１２】
2008039091.tif 000014